(57)【要約】【課題】動物の体内に埋め込んで動物を管理するためのマイクロチップに添付するＩＤラベルを提供する。【解決手段】裏面に接着剤が積層され、使用前は剥離紙２１に取り外し可能に貼着されたラベル紙２２からなるタック紙２０の、ラベル紙２０を、破かれにくく、耐水性のある材質からなるシートで作り、ラベル紙２０の表の面に少なくとも個体識別データを示すバーコード１１を印刷し、所定の小型の規格サイズとしたＩＤラベル１０である。このＩＤラベル１０は、剥離紙２１から剥がした時にＩＤラベル１０上に窓７が形成されるように、ＩＤラベル１０の表の面にスリット６を入れておいても良い。【選択図】      図４
2004357636.tif 000002
【特許請求の範囲】
【請求項１】
少なくとも固有番号を含むＩＤデータが記録された動物の個体識別用マイクロチップに添付するＩＤラベルであって、
動物の姿を認識可能な他のシート状又は平板状の媒体に接着可能な接着剤が裏面に積層され、使用前は剥離紙に取り外し可能に貼着されており、
破かれにくく、耐水性のある材質からなるシートで作られ、
表の面に少なくとも前記ＩＤデータの内容を示すバーコードが印刷され、
所定の小型の規格サイズを備え、
前記媒体に前記動物の姿が認識可能な状態で貼付されて使用されることを特徴とするＩＤラベル。
【請求項２】
請求項１に記載のＩＤラベルであって、前記剥離紙から剥がした時に前記ＩＤラベル上に窓が形成されるようになっていることを特徴とするＩＤラベル。
【請求項３】
請求項２に記載のＩＤラベルであって、前記ＩＤラベルの表の面にスリットが入っており、前記ＩＤラベルを前記剥離紙から剥がした時に、前記スリットにより窓が形成されることを特徴とするＩＤラベル。
【請求項４】
請求項２に記載のＩＤラベルであって、前記ＩＤラベルの表の面に透明部分が形成されており、前記ＩＤラベルを前記剥離紙から剥がした時に、この透明部分により窓が形成されることを特徴とするＩＤラベル。
【請求項５】
請求項１に記載のＩＤラベルであって、前記ＩＤラベル全体が透明なシートから形成されていることを特徴とするＩＤラベル。
【請求項６】
請求項１に記載のＩＤラベルであって、前記ＩＤラベルの表側の面の上に透明なシートが、前記ＩＤラベルの表面に対して取り外し／再接着可能に取り付けられており、前記透明シートと前記ＩＤラベルの間に写真を挟み込めるようになっていることを特徴とするＩＤラベル。
【請求項７】
請求項１から６の何れか１項に記載のＩＤラベルであって、その表の面に、前記ＩＤデータ以外の動物の個体識別を行うための付加データ又は動物の飼い主のデータが書き込める欄が印刷されていることを特徴とするＩＤラベル。
【請求項８】
請求項１から７の何れか１項に記載のＩＤラベルであって、前記小型の規格サイズが流通している汎用のカードサイズの１つであることを特徴とするＩＤラベル。
【請求項９】
請求項１から８の何れか１項に記載のＩＤラベルであって、
前記ＩＤラベルの表側の面に、前記ＩＤデータの数字部分の末尾の所定の桁の数字が、拡大されて印刷されていることを特徴とするＩＤラベル。
【請求項１０】
請求項１から９の何れか１項に記載のＩＤラベルであって、
前記ＩＤラベルがこれよりも大きなサイズのタック紙から、スリットによって分離されるようになっており、前記ＩＤラベル以外のタック紙の部分には、前記バーコードと同じＩＤデータを示すバーコードが少なくとも１つ印刷され、このバーコードもスリットによって前記剥離紙から取り外せるようになっており、前記剥離紙の一部を取り外して前記タック紙の裏面の一部を露出させ、この露出部分を前記マイクロチップ、又はこれを包装する包装材に直接取り付けることにより、前記ＩＤラベルを前記マイクロチップと一体化したことを特徴とするＩＤラベル。
【請求項１１】
少なくとも固有番号を含むＩＤデータが記録された動物の個体識別用マイクロチップに添付するＩＤラベルであって、
３枚つづりの登録用紙に貼付するための少なくとも３枚の、前記ＩＤデータの内容を示すバーコードラベルのみが印刷された副ラベルと、写真用紙を含む厚紙に貼付するための主ラベルとから構成され、
前記ＩＤラベルの裏面には他の紙への貼付が可能な接着剤が積層され、使用前は剥離紙に取り外し可能に貼着されており、
破かれにくく、耐水性のある材質からなるシートで作られ、
前記主ラベルの表の面には、少なくとも前記ＩＤデータの内容を示すバーコードが印刷され、前記ＩＤデータ以外の動物の個体識別を行うための付加データ及び動物の飼い主のデータが書き込める欄の印刷が可能であり、
所定の小型の規格サイズを備えることを特徴とするＩＤラベル。
【発明の詳細な説明】
【０００１】
【発明の属する技術分野】
本発明は動物の個体識別用マイクロチップに添付するＩＤラベルに関し、特に、動物の体内に埋め込んで使用する動物の個体識別用マイクロチップの梱包に同梱、或いは添付され、剥離紙から取り外して他のものに貼り付けることが可能なＩＤラベルに関する。
【０００２】
【従来の技術】
従来、ペット等の動物の個体識別は野放しの状態であったが、近年、「動物の愛護及び管理に関する法律」により、飼養者の責務として個体識別が要求されるようになってきた。これは、新しい電子標識器具であるマイクロチップを獣医師によって動物の体内に埋め込むことにより、従来の金属製鑑札に加え、個体識別を電子的に行うことが可能になってきたからである。このような用途に使用されるマイクロチップには、書込ができずＩＤ番号のみが記録されたタイプ、予めＩＤ番号が記録されているが一般データの書き込み、書き換え、及び消去ができる記憶領域が滅に設定されているタイプ、ＩＤ番号を後から１度だけ書き込めるタイプや、何度も書き換えができるタイプ等がある。
【０００３】
このマイクロチップを動物の体内に埋め込んだ状態で使用すれば、（１）新動物愛護法に規定される飼い主責任を明確化できる、（２）逸走、迷子動物の発見と殺処分の防止効果がある、（３）地震等の災害時における動物救護活動の円滑化が図れる、（４）捨て犬、捨て猫や、動物遺棄の抑止効果がある、（５）将来的に動物医療保険等への活用が見込める等の有用性がある。このため、動物関係の各団体や獣医師会等が、このマイクロチップによる動物の管理の普及や啓発活動を行うようになってきている。
【０００４】
このマイクロチップは通常マイクロチップの販売業者から獣医師に販売されるが、各マイクロチップの梱包には、マイクロチップが示す固有のＩＤ番号と同じ番号を示すバーコードが印刷されて同梱、或いは添付されている。このバーコードは通常、タック紙のような剥離紙から剥がして他のものに貼付できるラベルになっている。
【０００５】
ところで、獣医師がマイクロチップを動物に挿入しても、以後このマイクロチップに記録されたＩＤデータを利用するためには、マイクロチップを挿入した動物に係わるデータをどこかの機関のデータベースに登録しておく必要がある。動物に係わるデータとは、例えば動物の品種、雌雄、年齢、毛色や所有者、また場合によっては担当獣医師名である。マイクロチップを挿入した動物に係わるデータをどこかの機関のデータベースに登録する代表的な方法としては以下の２つの方法が現在考えられる。
【０００６】
データベースに登録する第１の方法は、マイクロチップの販売業者がデータベースへの登録料込みで獣医師にマイクロチップを販売し、獣医師は飼い主に代わってマイクロチップの動物への埋め込み処置後に、データベースに登録を行う方法である。第２の方法は、マイクロチップ業者の販売業者がマイクロチップのみを獣医師に販売し、飼い主は自分の判断で登録料を添えてデータベースに登録する方法である。いずれの方法においても、データ登録申込用紙は、データベースの設置会社（団体）が用意しており、事前にマイクロチップの販売業者、若しくは獣医師に渡されている。データ登録申込用紙の形式は、第１の方法と第２の方法との間で殆ど差はない。
【０００７】
データ登録申込用紙は、例えばＡ４サイズにフォームが印刷されたものであり、飼い主控え、データベースへの送付用、処置獣医師の控えの３枚つづりになっている。そして、この方法では、マイクロチップを動物の体内に埋め込む処置を行った獣医師が、マイクロチップの梱包に同梱、或いは添付されているバーコードラベル（この場合は最低３枚必要）を、３枚のデータ登録申込用紙のバーコードラベル貼付欄にそれぞれ貼付し、そのうちの１枚をデータベースを持つ機関に送付し、２枚目を獣医師の控えとし、３枚目を飼い主の控えとして渡す。データベースへの登録料は、第１の方法では、既にマイクロチップ（商品）に組み込まれているので、あらためて獣医師がデータベースへの登録時に払う必要はない。
【０００８】
データベースに登録する第２の方法は、第１の方法とデータ登録申込用紙を飼い主がデータベースに送付する点が異なる。第２の方法では、マイクロチップを動物の体内に埋め込む処置を行った獣医師が、マイクロチップの梱包に同梱、或いは添付されているバーコードラベル（この場合は最低３枚必要）を、３枚のデータ登録申込用紙のバーコードラベル貼付欄にそれぞれ貼付し、そのうちの１枚を獣医師の控えとし、残りの２枚を飼い主に渡す。飼い主はこの２枚の登録用紙のうちの１枚をデータベースを持つ機関に送付することができるが、この送付を行うかどうかは飼い主の任意である。データベースへの登録料は、飼い主が直接データベース機関に支払うことになる。
【０００９】
第１の方法では、動物に挿入されたマイクロチップの全ＩＤデータがデータベースに一応登録されるが、第２の方法では、飼い主の判断でマイクロチップのＩＤデータのデータベースへの登録が行われるために、動物に挿入されたマイクロチップの全ＩＤデータがデータベースに登録されるわけではない。データ登録だけを考えると第１の方法が優れるが、金銭の流れや情報の範囲、及び実際の登録手続の簡素化の点から考えると、第２の方法の方が現実的である。第２の方法によって登録を行う場合には、データベースに対象動物のマイクロチップの番号とともに動物の付加情報をデータベースに送る必要がある。
【００１０】
【発明が解決しようとする課題】
ところが、このようなマイクロチップによる動物の管理の普及や啓発活動が行われている状況下における前述のデータ登録申込用紙１は、図１に示すように、フォームが印刷されたＡ４サイズの３枚つづりの用紙（飼い主控え、データベースへの送付用、処置獣医師の控えの３枚）になっているが、動物の飼い主の控えは１枚のＡ４サイズの用紙のみであるため、保存が難しく、無くしてしまうと自分の飼っている動物のデータがわからなくなるという問題点があった。
【００１１】
例えば、動物が逃げた場合、飼い主は逃げた動物のマイクロチップのＩＤ番号を特定する必要があるが、１頭ならマイクロチップの埋め込み処置を行った獣医師に問い合わせれば、逃げた動物を特定することができるのに対して、ブリーダーのように数十頭の動物を飼養している場合は、逃げた動物の特定が困難なものとなる。この理由は、飼養している動物の品種が異なっていればその品種で逃げた動物の特定が可能であるが、ブリーダーは同一品種を多数飼養している場合が多いので、前述のマイクロチップによるＩＤデータの登録だけでは逃げた動物を特定することが困難なのである。
【００１２】
つまり、従来の方法では、（ａ）動物の飼い主又は所有者の「控え」が保存しにくい、（ｂ）災害時における動物との別離に際しても絶えず「控え」を携帯することは困難である、（ｃ）「控え」に記載されている動物の情報だけでは特定の動物の個体を確認することが極めて不十分であり、サーチに時間がかかって動物の発見が遅れることが懸念される、という問題点がある。特に、従来の第２の方法では、動物の登録が飼い主に委ねられているために、（ａ）〜（ｃ）の点で多くの問題を生じ、事実上、マイクロチップによる効果が殆ど生かせないことになってしまっていた。
【００１３】
更に、従来の方法では、マイクロチップに添付されているバーコードが直接マイクロチップに接着されていなかったために、一度に大量のマイクロチップを連続して挿入する場合など、登録用紙に所定のバーコードが正しく貼付されないことも発生するという問題点もあった。
【００１４】
そこで、本発明は、前記従来のマイクロチップを用いた動物の管理システムにおいて、動物の飼い主又は所有者の「控え」が保存し易く、かつ無くしにくく、携帯が容易であり、マイクロチップによるＩＤデータに加えて動物の容姿によって動物の個体を確認でき、更には、マイクロチップにバーコードを直接接着することができて、一度に大量のマイクロチップを連続して挿入する場合でも、登録用紙に所定のバーコードを正しく貼付することができる動物の個体識別用マイクロチップに添付するＩＤラベルを提供することを目的としている。本発明のこのＩＤラベルは、タック紙のような剥離紙から剥がして他のものに貼付できるラベルになっている。
【００１５】
【課題を解決するための手段】
前記目的を達成する本発明のＩＤラベルは、少なくとも固有番号を含むＩＤデータが記録された動物の個体識別用マイクロチップに添付するＩＤラベルであって、動物の姿を認識可能な他のシート状又は平板状の媒体に接着可能な接着剤が裏面に積層され、使用前は剥離紙に取り外し可能に貼着されており、破かれにくく、耐水性のある材質からなるシートで作られ、表の面に少なくともＩＤデータの内容を示すバーコードが印刷され、所定の小型の規格サイズを備え、この媒体に動物の姿が認識可能な状態で貼付されて使用されることを特徴としている。
【００１６】
このＩＤラベルを第１の形態として、本発明のＩＤラベルには、以下の第２から第１１の形態が可能である。
【００１７】
（第２の形態）第１の形態のＩＤラベルにおいて、剥離紙から剥がした時にＩＤラベル上に窓が形成されるようになっている形態。
【００１８】
（第３の形態）第２の形態のＩＤラベルにおいて、ＩＤラベルの表の面にスリットが入っており、ＩＤラベルを剥離紙から剥がした時に、このスリットにより窓が形成される形態。
【００１９】
（第４の形態）第２の形態のＩＤラベルにおいて、ＩＤラベルの表の面に透明部分が形成されており、ＩＤラベルを剥離紙から剥がした時に、この透明部分により窓が形成される形態。
【００２０】
（第５の形態）第１の形態のＩＤラベルにおいて、ＩＤラベル全体が透明なシートから形成されている形態。
【００２１】
（第６の形態）第１の形態のＩＤラベルにおいて、ＩＤラベルの表側の面の上に透明なシートが、ＩＤラベルの表面に対して取り外し／再接着可能に取り付けられており、透明シートとＩＤラベルの間に写真を挟み込めるようになっている形態。
【００２２】
（第７の形態）第１から第６の形態の何れかの形態のＩＤラベルにおいて、その表の面に、ＩＤデータ以外の動物の個体識別を行うための付加データ又は動物の飼い主のデータが書き込める欄が印刷されている形態。
【００２３】
（第８の形態）第１から第７の何れかの形態のＩＤラベルにおいて、小型の規格サイズが流通している汎用のカードサイズの１つである形態。
【００２４】
（第９の形態）第１から第８の何れかの形態のＩＤラベルにおいて、ＩＤラベルの表側の面に、ＩＤデータの数字部分の末尾の所定の桁の数字が、拡大されて印刷されている形態。
【００２５】
（第１０の形態）第１から第９の何れかの形態のＩＤラベルにおいて、ＩＤラベルがこれよりも大きなサイズのタック紙から、スリットによって分離されるようになっており、ＩＤラベル以外のタック紙の部分には、バーコードと同じＩＤデータを示すバーコードが少なくとも１つ印刷され、このバーコードもスリットによって剥離紙から取り外せるようになっており、剥離紙の一部を取り外してタック紙の裏面の一部を露出させ、この露出部分をマイクロチップ、又はこれを包装する包装材に直接取り付けることにより、ＩＤラベルをマイクロチップと一体化した形態。
【００２６】
（第１１の形態）少なくとも固有番号を含むＩＤデータが記録された動物の個体識別用マイクロチップに添付するＩＤラベルであって、３枚つづりの登録用紙に貼付するための少なくとも３枚の、ＩＤデータの内容を示すバーコードラベルのみが印刷された副ラベルと、写真用紙を含む厚紙に貼付するための主ラベルとから構成され、ＩＤラベルの裏面には他の紙への貼付が可能な接着剤が積層され、使用前は剥離紙に取り外し可能に貼着されており、破かれにくく、耐水性のある材質からなるシートで作られ、主ラベルの表の面には、少なくともＩＤデータの内容を示すバーコードが印刷され、ＩＤデータ以外の動物の個体識別を行うための付加データ及び動物の飼い主のデータが書き込める欄の印刷が可能であり、所定の小型の規格サイズを備える形態。
【００２７】
本発明のＩＤラベルによれば、動物の飼い主又は所有者の「控え」が保存し易く、かつ無くしにくく、携帯が容易である。また、マイクロチップによるＩＤデータに加えて動物の容姿によって動物の個体を確認でき、更には、マイクロチップにバーコードを直接接着することができるので、一度に大量のマイクロチップを連続して挿入する場合でも、登録用紙に所定のバーコードを正しく貼付することができる。そして、このＩＤラベルは、タック紙のような剥離紙から剥がしてマイクロチップを埋め込んだ動物が写っている写真に、動物の姿が確認できる状態で貼付すれば、動物の確認効果は非常に大きなものとなる。
【００２８】
【発明の実施の形態】
図２は、剥離紙２１と裏面に積層された接着剤によりこの剥離紙２１の上から剥がすことができるラベル紙２２とから構成された、本発明の第１の実施例のＩＤラベルを形成するのに使用するタック紙２０を示すものである。このタック紙２０では、ラベル紙２２の上に、４枚のバーコードラベル２と本発明の第１の実施例のＩＤラベル１０とが印刷されている。ＩＤラベル１０と４枚のバーコードラベル２とは、スリット（切れ線）４によって剥離紙２１から剥がれるようになっている。第１の実施例のＩＤラベル１０は、動物の個体識別用のＩＤデータが記録されたマイクロチップ、或いはマイクロチップのパッケージに添付するものである。マイクロチップは、動物を後日識別するために、動物の体内に埋め込んで使用されるものである。
【００２９】
第１の実施例では、このラベル紙２２が、破かれにくく、かつ耐水性のある材質からなるシートで構成されている。そして、ＩＤラベル１０の大きさは、世の中に流通している所定の小型の規格サイズ、例えば、クレージットカードや、名刺等の決まったサイズとなるように、ラベル紙２２にスリット４が設けられている。また、ＩＤラベル１０の上には、バーコードラベル２と同じ番号を示すバーコード１１が印刷されている。
【００３０】
また、ＩＤラベル１０の表面には、動物の種類を書き込む欄１２、動物の名前を書き込む欄１３、動物の性別を書き込む欄１４等の、動物の個体識別データを書き込む欄や飼い主の名前を書き込む欄１５、及びマイクロチップの埋め込み処置を行った獣医師名、処置日が書き込める欄１６等が設けられている。この他にも、ＩＤラベル１０の表面には、ユーザコードの書き込むスペースや、マイクロチップに記録されているＩＤデータの末尾の数字や記号を拡大印刷するスペースを設けても良いものである。
【００３１】
ラベル紙２２の上に剥がすことが可能なように設けられたバーコードラベル２は、これまで同様に、図１に示したデータ登録申込用紙１のバーコードラベルの貼付欄３に貼付すれば良い。１枚は予備である。
【００３２】
一方、第１の実施例のＩＤラベル１０は、剥離紙２１から剥がした後に、図３に示すように、マイクロチップを埋め込んだ動物（例えば、飼い犬）を撮影した写真５の裏面側から破線で示すように貼り付ける。この写真５は飼い主が予め撮影してプリントしておいても良いが、デジタルカメラやインスタントカメラを飼養して、獣医師側でマイクロチップの埋め込み処置後に撮影してプリントするようにしても良い。
【００３３】
ＩＤラベル１０を写真５の裏面に貼り付ける際には、ＩＤラベル１０の大きさの中に、写真の中の動物を識別できる部分を入れた状態で、写真５の裏面にＩＤラベル１０ののり面を貼り付ける。この後、貼り付けたＩＤラベル１０の外形に沿って写真５をハサミやカッターで切り取れば、裏面に自分が飼っている動物の写真が貼り付けられたＩＤラベル１０のカードが出来上がる。
【００３４】
このＩＤラベル１０は、前述のように、クレジットカードサイズ、或いは名刺サイズとすれば、前述のように写真の裏側から写真に貼り付けてその周囲を切り取れば、ＩＤラベル１０が厚みのある強固なものになり、飼い主は他のクレジットカードや名刺と同様にこのＩＤラベル１０を安全に保管することができる。そして、このＩＤラベル１０には飼っている動物の個体識別情報が記録されたバーコード１１が印刷されているので、飼っている動物が逃げた場合等の照合に、このＩＤラベル１０を使用することができる。
【００３５】
図４は、剥離紙２１と裏面に積層された接着剤によりこの剥離紙２１の上から剥がすことができるラベル紙２２とから構成された、本発明の第２の実施例のＩＤラベルを形成するのに使用するタック紙２０を示すものである。このタック紙２０では、ラベル紙２２の上に、４枚のバーコードラベル２と本発明の第２の実施例のＩＤラベル１０Ａとが印刷されている。ＩＤラベル１０Ａと４枚のバーコードラベル２とは、スリット（切れ線）４によって剥離紙２１から剥がれるようになっている。第２の実施例のＩＤラベル１０Ａも、個体識別データが記録されたマイクロチップを動物の体内に埋め込んで動物を管理する動物のＩＤデータ登録システムに使用されるものである。
【００３６】
第２の実施例でも、このラベル紙２２は、破かれにくく、かつ耐水性のある材質からなるシートから構成されている。そして、ＩＤラベル１０Ａの大きさは、第１の実施例と同様に所定の小型の規格サイズ、例えば、クレージットカードサイズ、或いは名刺サイズとなるように、ラベル紙２２にスリット４が設けられている。また、ＩＤラベル１０Ａの上には、バーコードラベル２と同じ番号を示すバーコード１１が印刷されている。
【００３７】
また、ＩＤラベル１０Ａの表面には、動物の種類を書き込む欄１２、動物の名前を書き込む欄１３、動物の性別を書き込む欄１４等の、動物の個体識別データを書き込む欄や飼い主の名前を書き込む欄１５、及びマイクロチップの埋め込み処置を行った獣医師名、処置日が書き込める欄１６等が設けられていることも第１の実施例と同様である。更に、この実施例のＩＤラベル１０Ａの表面には、ユーザコードを書き込むユーザコード書込欄１７と、マイクロチップに記録されているＩＤデータの末尾４桁の数字や記号を拡大印刷するＩＤデータの末尾拡大表示欄１８が設けられている。
【００３８】
第２の実施例のＩＤラベル１０Ａが第１の実施例のＩＤラベル１０と大きく異なる点は、ＩＤラベル１０Ａの内部に、閉じたスリット６によって窓７が形成されている点のみである。すなわち、第２の実施例のＩＤラベル１０Ａは、これをラベル紙２２から剥がした時に、窓７の部分のラベル紙２２が剥離紙２１の上に残るので、ＩＤラベル１０Ａに窓７が形成されるのである。
【００３９】
第１の実施例のＩＤラベル１０は、図３で説明したように、動物の写真５の裏面から貼り付けていた。一方、第２の実施例のＩＤラベル１０Ａは、タック紙２０から剥がした後に、マイクロチップを埋め込んだ動物（例えば、飼い犬）を撮影した図５（ａ）に示す写真８の表面側から、窓７の中に動物の特徴部分（例えば顔）が入るように貼り付ける。図５（ｂ）は、ＩＤラベル１０Ａの窓７の中に、写真の中の動物を識別できる顔の部分を入れて、写真８の表面にＩＤラベル１０Ａののり面を貼り付け、貼り付けたＩＤラベル１０Ａの外形に沿って写真８をハサミやカッターで切り取った状態を示すものである。
【００４０】
第２の実施例のＩＤカード１０Ａでは、表面側から自分が飼っている動物の個体データと写真を同時に確認することができる。
【００４１】
第２のＩＤラベル１０Ａも、前述のように、クレジットカードサイズ、或いは名刺サイズであるので、前述のように写真の表側から写真に貼り付けてその周囲を切り取れば、ＩＤラベル１０Ａが厚みのある強固なものになり、飼い主は他のクレジットカードや名刺と同様にこのＩＤラベル１０Ａを安全に保管することができる。そして、このＩＤラベル１０Ａには飼っている動物の個体識別情報が記録されたバーコード１１が印刷されているので、飼っている動物が逃げた場合等の照合に、このＩＤラベル１０Ａを使用することができる。
【００４２】
図６は、本発明のＩＤラベル１０，１０Ａの使用方法を示すものである。本発明のＩＤラベル１０，１０Ａはタック紙２０の上に形成されているので、端部の剥離紙２１のみを剥がしてラベル紙２２の粘着部分を露出させれば、マイクロチップの梱包材に容易に貼付することができる。
【００４３】
図６（ａ）はマイクロチップが収容された箱体２３に本発明のＩＤラベルが印刷されたタック紙２０を貼り付けた状態を示すものである。また、図６（ｂ）はマイクロチップが収容された袋体２４に本発明のＩＤラベルが印刷されたタック紙２０を貼り付けた状態を示すものである。更に、図６（ｃ）はマイクロチップが収容されたパッケージ２５に本発明のＩＤラベルが印刷されたタック紙２０を貼り付けた状態を示す側断面図である。
【００４４】
図７は、本発明の第２の実施例のＩＤラベル１０Ａの変形例のＩＤラベル１０Ｂを示すものである。図４，図５に示したＩＤラベル１０Ａでは、窓７が開口部となっていたが、図７に示す変形例のＩＤラベル１０Ｂでは、窓７の部分が透明シート９で塞がれている。
【００４５】
図８は、本発明の第３の実施例のＩＤラベル１０Ｃを示すものである。この実施例では、例えば、図２に示した第１の実施例のＩＤラベル１０の部分、或いはラベル紙２２全体が透明シートで形成されている。第１の実施例のＩＤラベル１０は、図３に示したように、写真５の裏面に貼り付けていた。一方、この第３の実施例のように、ＩＤラベル１０Ｃが透明であると、図３の写真５の表側から貼り付けることができる。図８は、図３に示す写真の破線の部分に、第３の実施例のＩＤラベル１０Ｃを表側から貼り付けた状態を示すものである。動物のデータはこの透明なＩＤラベル１０Ｃの表側から記入することができる。
【００４６】
ＩＤラベル１０Ｃを写真５の表面に貼り付ける際には、ＩＤラベル１０Ｃの大きさの中に、写真の中の動物を識別できる部分が入るように、写真５の表面にＩＤラベル１０Ｃののり面を貼り付ける。この後、貼り付けたＩＤラベル１０Ｃの外形に沿って写真５をハサミやカッターで切り取れば、自分が飼っている動物の写真が透けて見えるＩＤラベル１０Ｃのカードが出来上がる。
【００４７】
なお、第３の実施例のＩＤラベル１０Ｃを貼り付ける相手は、写真でなくともその動物の姿が印刷された印刷物でも良い。
【００４８】
図９は、本発明の第４の実施例のＩＤラベル１０Ｄを示すものである。この実施例のＩＤラベル１０Ｄは、図４に示した第２の実施例のＩＤラベル１０Ａの部分の表面に、透明なシート９Ａが貼り付けられたものであり、この透明なシート９ＡはＩＤラベル１０Ｄから剥離可能で、かつ再度この上に貼り付けることができるようになっているものである。従って、この実施例のＩＤラベル１０Ｄでは、透明シート９ＡをＩＤラベル１０Ｄから剥がした状態で、第２の実施例のＩＤラベル１０Ａの窓７に相当するスペースに、所定の大きさに切った動物の写真８Ｃを置き、透明シート９Ａを再度貼り付けるようにする。
【００４９】
このように、第４の実施例のＩＤラベル１０Ｄは写真の裏面に貼り付ける必要はなく、適当な紙に貼り付けて、ＩＤラベル１０Ｄの周囲をハサミやカッターで切り取れば良い。動物のデータはＩＤラベル１０Ｄの上、或いは、この透明シート９Ａの表側から記入することができる。なお、透明シート９ＡをＩＤラベル１０Ｄの上に固定する接着剤には接着力の弱いものを使用し、この接着剤はＩＤラベル１０Ｄの少なくとも周囲の部分に形成するか、或いは透明シート９Ａの裏面の少なくとも周囲の部分に形成すれば良い。
【００５０】
以上本発明のＩＤラベルを４つの実施例に基づいて説明したが、本発明の第４の実施例のＩＤラベル１０Ｄは、ＩＤラベルと動物の写真とが一体化しているために、更に以下のような使用方法が考えられる。
（１）ＩＤラベルに第４の実施例のように写真を挟み込んだ後に、このＩＤラベルをメモリー機能を備えたＩＣカードの裏面に貼り付ける。
（２）マイクロチップを埋め込んだ動物を運ぶ際に、運搬用の動物ケージの一部に宛て名ラベルとして貼り付ける。この使用方法は、ブリーダ等の動物を飼育して販売する業者にとって使い勝手が良い。
（３）名刺大のカードに貼り付けて、名刺の保存ファイルや保存装置に入れる。
（４）ペットショップの会員証に貼り付ける。この使用方法では、ペットショップが会員のみの特別サービスを実施する場合に都合が良い。
（５）ペットの保険業務を扱う業者の保険証書に貼り付ける。この使用方法では保険の対象動物の確認が確実にできるので、不正利用を防ぐことができる。
【００５１】
更に、第１から第４の実施例のＩＤラベルでは、ＩＤラベル以外のラベル紙の空きスペースに、スポンサーの公告を記載することもできる。そして、本発明のＩＤラベルは、動物が逃げた場合にインターネットにアクセスし、所定のウエブサイトにＩＤラベル上のデータを用いて逃げた動物の特徴を連絡すれば、逃げた動物が発見され易くなる。
【００５２】
【発明の効果】
以上説明したように、本発明のＩＤラベルによれば、動物の飼い主又は所有者の「控え」が保存し易く、かつ無くしにくく、携帯が容易になる。また、マイクロチップによるＩＤデータに加えて動物の容姿によって動物の個体を確認でき、更には、マイクロチップにバーコードを直接接着することができるので、一度に大量のマイクロチップを連続して挿入する場合でも、登録用紙に所定のバーコードを正しく貼付することができる。そして、このＩＤラベルは、タック紙のような剥離紙から剥がしてマイクロチップを埋め込んだ動物が写っている写真に、動物の姿が確認できる状態で貼付すれば、動物の確認効果は非常に大きなものとなるという効果がある。
【図面の簡単な説明】
【図１】動物ＩＤ普及推進会議による動物の個体管理システムにおけるデータ登録申込用紙を示す図である。
【図２】本発明のＩＤラベルの第１の実施例の平面図である。
【図３】図２に示したＩＤラベルの使用方法を説明する図である。
【図４】本発明のＩＤラベルの第２の実施例の平面図である。
【図５】（ａ）は図４に示したＩＤラベルを貼り付ける犬の写真、（ｂ）は（ａ）の写真に図４に示した本発明のＩＤラベルを貼付して周囲をカットした状態を示す図である。
【図６】（ａ）はマイクロチップが収容された箱体に本発明のＩＤラベルを貼り付けた状態を示す側断面図、（ｂ）はマイクロチップが収容された袋体に本発明のＩＤラベルを貼り付けた状態を示す側断面図、（ｃ）はマイクロチップが収容されたパッケージに本発明のＩＤラベルを貼り付けた状態を示す側断面図である。
【図７】本発明のＩＤラベルの第２の実施例の変形例の平面図である。
【図８】本発明のＩＤラベルの第３の実施例の平面図である。
【図９】本発明のＩＤラベルの第４の実施例の説明図である。
【符号の説明】
１…データ登録申込用紙
２…バーコードラベル
４，６…スリット（切れ線）
５，８…写真
７…窓
９，９Ａ…透明シート
１０，１０Ａ，１０Ｂ，１０Ｃ，１０Ｄ０…本発明のＩＤラベル
１１…バーコード
２０…タック紙
２１…剥離紙
２２…ラベル紙
【図１】
2004357636.tif 000003
【図２】
2004357636.tif 000004
【図３】
2004357636.tif 000005
【図４】
2004357636.tif 000006
【図５】
2004357636.tif 000007
【図６】
2004357636.tif 000008
【図７】
2004357636.tif 000009
【図８】
2004357636.tif 000010
【図９】
2004357636.tif 000011